(57)【要約】【課題】ボディにおいて充電部品を収納するための収納凹所を従来構成よりも大きくし充電部品の絶縁距離を確保しやすくしたスイッチを提供する。【解決手段】器体１は、端子板２１，２２および開閉子２４を収納したボディ１１と、接点の操作に用いるハンドル１４を保持するカバー１２とを結合することにより構成される。器体１は、カバー１２の両側に突出する結合爪１３ａを取付枠３に設けた結合凹所３２に係合させることにより、取付枠３に設けた取付窓３１からハンドル１４を露出させる形で取付枠３に取着される。ボディ１１の両側面間の距離は、カバー１２の両側における結合爪１３ａの基端と先端との間の中心同士を結ぶ距離よりも大きく設定される。【選択図】        図１
2004220814.tif 000002
【特許請求の範囲】
【請求項１】
接点を含む充電部品を収納したボディと、ボディの前面側に結合されボディとともに器体を形成しかつ接点の操作に用いるハンドルを保持するカバーと、ハンドルを露出させる取付窓を有する取付枠に設けられている結合凹所に係合可能であってカバーの両側面よりも側方に突出しかつカバーの両側における先端間の距離が規定されている複数個の結合爪とを有し、カバーの前面においてハンドルの両側方である肩部を取付窓の周部後面に当接させかつ結合爪を結合凹所に係合させた形で取付枠に取着可能であって、カバーの両側における結合爪の基端と先端との間の中心同士を結ぶ距離よりもボディの両側面間の距離が大きいことを特徴とするスイッチ。
【請求項２】
前記結合凹所への前記結合爪の係合状態を解除させる工具を前記取付枠の前面側から挿入可能とする外し孔が取付枠における結合凹所の近傍部位に形成され、前記カバーの両側面の後端を前記ボディの両側面の前端に一致させカバーの両側面の前端間の寸法を後端間の寸法よりも小さくするようにカバーの両側面の少なくとも一部にテーパが形成されていることを特徴とする請求項１記載のスイッチ。
【請求項３】
前記テーパが前記カバーの側面における後部に形成されていることを特徴とする請求項２記載のスイッチ。
【請求項４】
前記ボディにおいて前記充電部品を収納する収納凹所は位置決め切欠を有する開口形状であって、前記カバーには位置決め切欠の内周面に当接する形で位置決め切欠に挿入される複数個の位置決め突起が突設され、位置決め切欠の寸法と位置決め突起の配置とは、ボディとカバーとの組み付け方向が一致しないときに位置決め切欠に位置決め突起が挿入されるのを禁止しかつ異なる製品品種間でボディとカバーとが結合されるのを禁止するように設定されていることを特徴とする請求項１ないし請求項３のいずれか１項に記載のスイッチ。
【請求項５】
前記ボディにおいて前記充電部品を収納する収納凹所には充電部品に合致する寸法の収納スペースが形成されており、収納スペースの底面の形状と充電部品において収納スペースの底面に当接する部位の形状とは、異なる製品品種間で収納スペースに対する充電部品の組み付けが禁止されるように設定されていることを特徴とする請求項１ないし請求項４のいずれか１項に記載のスイッチ。
【発明の詳細な説明】
【０００１】
【発明の属する技術分野】
本発明は、取付枠を用いて施工されるスイッチに関するものである。
【０００２】
【従来の技術】
従来から、図２２に示す構成のスイッチが知られている。図示するスイッチは波動形などの呼称で知られているスイッチであって、器体１に対してシーソ動作が可能なハンドル１４を備え、ハンドル１４のシーソ動作によって接点が反転するように構成されている。
【０００３】
器体１は、接点を含む充電部品を収納する直方体状のボディ１１と、ボディ１１の前面側に結合されるカバー１２とにより形成され、ボディ１１とカバー１２とはそれぞれ一対の組立枠１３により結合される。カバー１２の前面中央部には筒状のボス部１２ａが突設されており、カバー１２の前面においてボス部１２ａの両側方には肩部１２ｂが形成される。
【０００４】
ボディ１１におけるカバー１２側の一面は長方形状に開口しており、ボディ１１の内部である収納凹所１１ａの長手方向の両端部にはそれぞれ端子板２１，２２が収納され、収納凹所１１ａの長手方向の中央部には前方に開放されたコ字状である開閉子２４が収納される。一方の端子板２１には収納凹所１１ａの底面に沿って他方の端子板２２に向かう向きに支持片２１ａが延設され、支持片２１ａの先端部には前方に突出する断面三角形状に屈曲された支点突部２１ｂが形成される。開閉子２４は、支点突部２１ｂの先端に当接するように配置され、支点突部２１ｂの先端付近を支点として揺動可能になる。
【０００５】
他方の端子板２２における前記一方の端子板２１との対向部位にはＬ字状の接点保持片２２ａが延設され、接点保持片２２ａの先端部には固定接点２５ａが設けられる。固定接点２５ａはコ字状である開閉子２４の一方の脚片に設けた可動接点２５ｂに対応するように形成され、固定接点２５ａと可動接点２５ｂとにより接点が形成される。つまり、開閉子２４の揺動によって可動接点２５ｂが固定接点２５ａに離接し接点が開閉される。
【０００６】
ところで、カバー１２に設けたボス部１２ａにはハンドル１４が挿入され、ハンドル１４はカバー１２に対して揺動可能になっている。ハンドル１４と開閉子２４との間にはコイルばねからなる反転ばね２８が保持され、ハンドル１４においてボス部１２ａの先端面から露出する操作面１４ｂの長手方向の一端部を押し込むと反転ばね２８から開閉子２４に作用するばね力の向きが反転し、可動接点２５ｂが固定接点２５ａに対して離接する。
【０００７】
上述した構成のスイッチを壁面のような施工面に取り付ける際には、施工面に取付可能な取付枠３にスイッチを取着する必要がある。取付枠３はボス部１２ａが挿入されてハンドル１４を露出させる取付窓３１を有し、取付窓３１の周部後面に肩部１２ｂが当接可能になっている。さらに、コ字状に形成した各組立枠１３の中央片には各一対の結合爪１３ａがカバー１２の側面から突出する形で形成されており、結合爪１３ａが取付枠３の側部に設けた結合凹所３２に結合爪１３ａを係合させることによってスイッチが取付枠３に取着されるようにしてある。
【０００８】
取付枠３は矩形枠状であって、取付窓３１を挟む両側枠３３ａ，３３ｂにはそれぞれ後方に延長された保持片３４が形成され、保持片３４における対向面に上述した結合凹所３２が形成されている。両側枠３３ａ，３３ｂのうちの少なくとも一方には取付枠３の前面側から保持片３４の近傍部位にマイナスドライバの先端部のような工具４を挿入することができる外し孔３５が形成されており、外し孔３５に工具４を挿入することによって、結合爪１３ａから保持片３４を遠ざける向きに保持片３４を撓ませることが可能になっている。つまり、工具４によって結合爪１３ａと結合凹所３２との係合状態を解除し、スイッチを取付枠３から取り外すことが可能になっている（たとえば、特許文献１、特許文献２参照）。
【０００９】
【特許文献１】
特開昭５７−１９１９２０号公報（第１−２頁、図１）
【特許文献２】
特開平１１−８６６８２号公報（第６−１０頁、図１）
【００１０】
【発明が解決しようとする課題】
ところで、この種のスイッチでは接点を介して配置されている充電部材の絶縁距離を確保する必要があり、端子板２１と端子板２２との間の距離を確保することが必要である。
【００１１】
しかしながら、カバー１２の両側の結合爪１３ａの先端間の寸法は取付枠３に対する取付寸法によって規定されており、カバー１２の前面における長手方向の寸法は結合爪１３ａと取付枠３との関係によって制約されることになる。また、取付枠３に取着したスイッチを取付枠３から取り外すときに、取付枠３の前面側から外し孔３５に工具４を挿入するから、ボディ１１の長手方向の寸法が大きくなると、図２２のように、工具４の先端がボディ１１に引っ掛かることになり、ボディ１１の長手方向の寸法にも制約が生じる。
【００１２】
また、取付枠３として、図２３および図２４のように、２個のスイッチを横に並べて保持する２連形のものを用いる場合には、両スイッチの結合爪１３ａは１つの保持片３４の両面に設けた結合凹所３２に係合するから、カバー１２の長手方向の寸法が大きくなると、カバー１２の側面からの結合爪１３ａの突出寸法が小さくなるだけではなく、両スイッチで共用されている保持片３４の厚み寸法が小さくなり、このことからもカバー１２の長手方向の寸法を大きくすることは困難である。
【００１３】
本発明は上記事由に鑑みて為されたものであり、その目的は、ボディにおいて充電部品を収納するための収納凹所を従来構成よりも大きくすることによって充電部品の絶縁距離を確保しやすくしたスイッチを提供することにある。
【００１４】
【課題を解決するための手段】
請求項１の発明は、接点を含む充電部品を収納したボディと、ボディの前面側に結合されボディとともに器体を形成しかつ接点の操作に用いるハンドルを保持するカバーと、ハンドルを露出させる取付窓を有する取付枠に設けられている結合凹所に係合可能であってカバーの両側面よりも側方に突出しかつカバーの両側における先端間の距離が規定されている複数個の結合爪とを有し、カバーの前面においてハンドルの両側方である肩部を取付窓の周部後面に当接させかつ結合爪を結合凹所に係合させた形で取付枠に取着可能であって、カバーの両側における結合爪の基端と先端との間の中心同士を結ぶ距離よりもボディの両側面間の距離が大きいことを特徴とする。
【００１５】
請求項２の発明では、請求項１の発明において、前記結合凹所への前記結合爪の係合状態を解除させる工具を前記取付枠の前面側から挿入可能とする外し孔が取付枠における結合凹所の近傍部位に形成され、前記カバーの両側面の後端を前記ボディの両側面の前端に一致させカバーの両側面の前端間の寸法を後端間の寸法よりも小さくするようにカバーの両側面の少なくとも一部にテーパが形成されていることを特徴とする。
【００１６】
請求項３の発明では、請求項２の発明において、前記テーパが前記カバーの側面における後部に形成されていることを特徴とする。
【００１７】
請求項４の発明では、請求項１ないし請求項３の発明において、前記ボディにおいて前記充電部品を収納する収納凹所は位置決め切欠を有する開口形状であって、前記カバーには位置決め切欠の内周面に当接する形で位置決め切欠に挿入される複数個の位置決め突起が突設され、位置決め切欠の寸法と位置決め突起の配置とは、ボディとカバーとの組み付け方向が一致しないときに位置決め切欠に位置決め突起が挿入されるのを禁止しかつ異なる製品品種間でボディとカバーとが結合されるのを禁止するように設定されていることを特徴とする。
【００１８】
請求項５の発明では、請求項１ないし請求項４の発明において、前記ボディにおいて前記充電部品を収納する収納凹所には充電部品に合致する寸法の収納スペースが形成されており、収納スペースの底面の形状と充電部品において収納スペースの底面に当接する部位の形状とは、異なる製品品種間で収納スペースに対する充電部品の組み付けが禁止されるように設定されていることを特徴とする。
【００１９】
【発明の実施の形態】
（実施形態１）
本実施形態は、図２に示すように、接点を含む充電部品を収納する直方体状のボディ１１と、ボディ１１の前面側に結合されるカバー１２とにより形成され、ボディ１１とカバー１２とはそれぞれコ字状に形成された一対の組立枠１３により結合した器体１を備える。この器体１は、たとえばＪＩＳ規格において規定されている連用形の埋込形配線器具における１個モジュール寸法と略同寸法に形成される。ボディ１１およびカバー１２には絶縁性を有する合成樹脂成形品が用いられ、組立枠１３には金属が用いられる。カバー１２の前面中央部には角筒状のボス部１２ａが突設されており、カバー１２の前面においてボス部１２ａの両側方には肩部１２ｂが形成される。カバー１２の各肩部１２ｂの周面とボディ１１の外側面とには、コ字状である組立枠１３の両脚片を嵌入する組立溝１１ｃ，１２ｃが形成されている。組立枠１３の両脚片の先端部は二股状であって、組立枠１３の中央片を肩部１２ｂに載せた状態で脚片を組立溝１１ｃ，１２ｃに嵌入させ、脚片の先端部の二股状の部分を拡げるように変形させることにより、ボディ１１とカバー１２とが組立枠１３で結合されるようになっている。
【００２０】
ボディ１１におけるカバー１２側の一面は長方形状に開口しており、ボディ１１の内部である収納凹所１１ａには複数のリブ１１ｂが設けられている。収納凹所１１ａの長手方向の両端部にはそれぞれ端子板２１，２２が収納され、収納凹所１１ａの長手方向の中央部には前方に開放されたコ字状である開閉子２４が収納される。一方の端子板２１には収納凹所１１ａの底面に沿って他方の端子板２２に向かう向きに支持片２１ａが延設され、支持片２１ａの先端部には前方に突出する断面三角形状に屈曲された支点突部２１ｂが形成される。開閉子２４は、支点突部２１ｂの先端に当接するように配置され、支点突部２１ｂの先端付近を支点として揺動可能になる。ここに、コ字状である開閉子２４の中央片の両側部には収納凹所１１ａの内面に形成した位置規制突部（図示せず）が嵌入される位置規制切欠２４ａが形成される。つまり、位置規制切欠２４ａと位置規制突部とにより開閉子２４の揺動範囲が規制される。
【００２１】
他方の端子板２２における前記一方の端子板２１との対向部位にはＬ字状の接点保持片２２ａが延設され、接点保持片２２ａの先端部には固定接点２５ａが設けられる。固定接点２５ａはコ字状である開閉子２４の一方の脚片に設けた可動接点２５ｂに対応するように形成され、固定接点２５ａと可動接点２５ｂとにより接点が形成される。つまり、開閉子２４の揺動によって可動接点２５ｂが固定接点２５ａに離接し接点が開閉される。
【００２２】
各端子板２１，２２はそれぞれ後方に開放されたコ字状に形成されており、各端子板２１，２２の内部にはそれぞれ２個ずつの錠ばね２６が配置される。各錠ばね２６は、金属帯板の長手方向の一端部をＪ字状に曲成し他端部をＳ字状に曲成することによって、主片２６ａの一端部に鎖錠片２６ｂを設け他端部に接触片２６ｃを設けた形に形成されている。ボディ１１の後壁において各錠ばね２６に対応する部位には電線挿入口１６（図１参照）が穿孔され、電線挿入口１６を通してボディ１１の内部に電線を挿入することにより、電線の先端部が錠ばね２６の鎖錠片２６ｂおよび接触片２６ｃと端子板２１，２２との間に挟持されるようにしてある。鎖錠片２６ｂは主片２６ａの後端から斜め前方に向かって延設されており、つまりは、電線の挿入方向において主片２６ａから離れる向きに延設されており、電線挿入口１６を通して挿入された電線は鎖錠片２６ｂの先端縁が食い込むことにより、電線に作用する引張力に抗するようになっている。収納凹所１１ａには、各端子版２１，２２に設けた各一対の錠ばね２６の鎖錠片２６ｂに跨るように配置した解除釦２７が収納される。解除釦２７はボディ１１の後壁に穿孔した操作孔１７を通してボディ１１の中に挿入されるマイナスドライバのような工具によって押圧可能であって、解除釦２７を工具で押圧すると鎖錠片２６ｂの先端が主片２６ａに近付く向きに撓み、電線を保持する力が低減するようになっている。つまり、解除釦２７を押圧した状態で電線を引き抜くことができるようにしてある。この種の端子の構成は速結端子として知られている。
【００２３】
ところで、カバー１２に設けたボス部１２ａにはハンドル１４が挿入され、ボス部１２ａの内周面にはハンドル１４の外側面に突設された軸突起１４ａを受ける軸受凹所１２ｄが形成されている。軸突起１４ａが軸受凹所１２ｄに挿入された状態では軸突起１４ａの前端部を支点としてハンドル１４がカバー１２に対して揺動可能になる。ハンドル１４と開閉子２４との間にはコイルばねからなる反転ばね２８が保持され、ハンドル１４においてボス部１２ａの先端面から露出する操作面１４ｂの長手方向の一端部を押し込むと反転ばね２８から開閉子２４に作用するばね力の向きが反転し、可動接点２５ｂが固定接点２５ａに対して離接する。また、ハンドル１４も反転ばね２８のばね力によって位置保持される。反転ばね２８の両端部はハンドル１４と開閉子２４とによってほぼ定位置に拘束されているから反転ばね２８は中央部のみが移動可能になる。つまり、反転ばね２８は軸線が直線であるときに最大圧縮される中立状態になるが、中立状態は不安定であるから軸線をく字状にするようにばね力を作用させることになる。反転ばね２８の軸線がく字状になる状態には、開閉子２４に設けた可動接点２５ｂが、固定接点２５ａに接触する状態と固定接点２５ａから離れる状態との２状態がある。各状態においてハンドル１４の操作面１４ｂのいずれか一端部のボス部１２ａからの突出量が他端部よりも大きくなるから、突出量の大きいほうの端部を押し込むことによって他状態に反転させることができる。このとき、反転ばね２８は中立状態を超えて反転するから、開閉子２４はいわゆるスナップ動作によって急速に移動する。つまり、ハンドル１４をシーソ動作させることによって反転ばね２８を２状態の一方から他方に反転させることができる。ここに、ハンドル１４および開閉子２４の揺動範囲は他部材によって規制される。たとえば、ハンドル１４は端子板２１，２２やカバー１２を用いることによって揺動範囲を規制する構成を実現することができ、開閉子２４は端子板２１，２２やボディ１１を用いることによって揺動範囲を規制する構成を実現することができる。
【００２４】
ところで、本実施形態では、図１に示すように、ボディ１１の長手方向における両側面間の寸法を、カバー１２の両側における取付爪１３ａの基端と先端との間の中心間を結ぶ距離よりも大きくしてあり、従来構成に比較してボディ１１の長手方向の寸法が大きくなっている。ここで、ボディ１１の長手方向の寸法に合わせてカバー１２の長手方向の寸法を大きくすると、カバー１２の側面からの結合爪１３ａの突出寸法が従来構成よりも小さくなり、取付枠３における結合凹所３２と結合爪１３ａとの係合深さが小さくなり、結果的に取付枠３に対するスイッチの保持強度が低下することになる。つまり、カバー１２の側面からの結合爪１３ａの突出寸法は小さくすることができない。
【００２５】
そこで、本実施形態では、カバー１２の両側面の後端をボディ１１の両側面の前端に一致させ、かつカバー１２の両側面の前端間の寸法を後端間の寸法よりも小さくするように、カバー１２の両側面に前後方向の全長に亘るテーパ１２ｅを形成してある。つまり、カバー１２の長手方向の両側面は前端側ほど互いの距離を小さくするように傾斜している。このような形状のカバー１２は従来構成とは肩部１２ｂの側面の形状が異なるのみであり、金型は従来構成と同程度の作業で作製することができる。
【００２６】
この構成によって、ボディ１１の長手方向の両側面間の距離を比較的大きくとりながらも、カバー１２の側面からの結合爪１３ａの突出寸法を比較的大きくとることが可能になっている。また、図１に示すように、スイッチを取付枠３から取り外すために、マイナスドライバや外しキーのような工具４を取付枠３の外し孔３５に挿入したときに、工具４の先端部がテーパ１２ｅに案内されてボディ１１に引っ掛かることなく挿入され、工具４を比較的深く挿入することになって、保持片３４を撓ませるのが容易になる。つまり、取付枠３からスイッチを取り外す作業が容易になる。
【００２７】
また、図２３および図２４に示した従来構成のように、２個のスイッチを横に並べて保持する２連形の取付枠３を用いる場合には、図３に示すように、ボディ１１の長手方向の両側面間の寸法を従来構成よりも大きくしながらも、両スイッチの間に位置する保持片３４の厚み寸法を小さくする必要がないから、保持片３４の強度を低下させることがない。つまり、取付枠３の強度を維持しながらもボディ１１の内容積を従来よりも大きくすることが可能になる。
【００２８】
上述した例では、カバー１２の側面の前後方向の全長に亘ってテーパ１２ｅを形成しているが、図４に示すように、カバー１２の側面の前後方向のうち後部側にのみテーパ１２ｅを形成し、カバー１２の側面の前部は傾斜せず前後方向に沿う面になっている。この構成では、カバー１２の側面の後部に設けたテーパ１２ｅによって図１に示した構成と同様にボディ１１の長手方向の寸法を従来構成よりも大きくしながらも、カバー１２の側面からの結合爪１３ａの突出寸法を確保して取付枠３に対するスイッチの保持強度を確保することができ、また工具４を外し孔３５に深く挿入することが可能になる。しかも、カバー１２の側面の前部は両スイッチが並ぶ方向に直交しているから、スイッチと保持片３４との接触面積を比較的大きくとることができ、スイッチの横方向に外力が作用しても取付枠３に対してスイッチが移動せず、テーパ１２ｅを前後方向の全長に設ける構成に比較すると取付枠３に対するスイッチの安定がよくなる。
【００２９】
ところで、ボディ１１とカバー１２とには互いの位置決めを容易にするとともに、ボディ１１に対するカバー１２の組み付け方向が一致しない逆組を防止するために、図５および図６に示すように、ボディ１１における収納凹所１１ａの開口形状は長手方向の両端部にそれぞれ位置決め切欠１５ａを有する形状であって、カバー１２には位置決め切欠１５ａの内周面に当接する形で複数個の位置決め突起１５ｂが突設されている。つまり、ボディ１１の長手方向の両端部では収納凹所１１ａの開口縁に位置決め切欠１５ａとなる凹み部分が形成され、各端部の位置決め切欠１５ａの形状が互いに異なる形状になっている。図５および図６に示す例では、左端部の位置決め切欠１５ａの上下幅が右端部の位置決め切欠１５ａよりも大きくなっている。また、カバー１２の長手方向の両端部において上下に並ぶ各一対の位置決め突起１５ｂは位置決め切欠１５ａの上下幅に合致するように配置されている。
【００３０】
ここにおいて、本実施形態ではボディ１１の長手方向における両側面間の寸法が従来構成とは異なるものの、図５に示す従来構成の狭幅Ｗ１のボディ１１およびカバー１２に対して、図６に示すように広幅Ｗ２（Ｗ１＜Ｗ２）のボディ１１を採用する場合にも位置決め切欠１５ａの形状および位置決め突起１５ｂの配置関係を図５と同様に設定したとすると、図６（ｂ）に示すボディ１１に対して図５（ａ）に示すカバー１２を取り付けることが可能になってしまう。つまり、図７に示すように図６（ｂ）に示すボディ１１に対して図５（ａ）に示すカバー１２を組み合わせたときに、位置決め切欠１５ａと位置決め突起１５ｂとの間に隙間Ｄ１，Ｄ２が形成され、がたつきが生じるものの、図６（ｂ）に示すボディ１１に図５（ａ）に示すカバー１２を取り付けることが可能になる。なお、カバー１２の長手方向における位置決め切欠１５ａの距離は従来構成に比較して本実施形態のほうが大きいから、従来構成のボディ１１に対して本実施形態のカバー１２を組み合わせたときにはボディ１１にカバー１２を取り付けることはできない。
【００３１】
上述のような異なる製品品種間でのボディ１１とカバー１２との誤結合を防止するために、図５に示したボディ１１とカバー１２との組合せに対して、本実施形態では、ボディ１１とカバー１２とについて図８に示す形状を採用している。つまり、図５に示した従来構成ではボディ１１の長手方向の各端部に設けた位置決め切欠１５ａの上下幅を異ならせていたのに対して、本実施形態のボディ１１では図８（ｂ）のようにボディ１１の長手方向の両端部に設けた位置決め切欠１５ａの上下幅を同幅に設定してある。ただし、ボディ１１に対するカバー１２の逆組を防止するために、位置決め切欠１５ａの上下方向の中心位置をボディ１１の上下方向の中心位置に対してずらしてある。カバー１２に設ける位置決め突起１５ｂはボディ１１の位置決め切欠１５ａに合わせて配置される。
【００３２】
図５に示す構成に対して図８に示す構成を採用することにより、ボディ１１とカバー１２との逆組が防止されるのはもちろんのこと、異なる製品品種（つまり、従来構成と本実施形態）間においてボディ１１とカバー１２とを組み合わせることができなくなる。図５に示すボディ１１およびカバー１２と図８に示すボディ１１およびカバー１２とを種々組み合わせた例を図９に示す。
【００３３】
図９（ａ）は図５に示すボディ１１とカバー１２とを正しい方向で組み合わせた場合を示し、図９（ｅ）は図８に示すボディ１１とカバー１２とを正しい方向で組み合わせた場合を示す。これらの場合については、ボディ１１とカバー１２とはそれぞれ組み合わせが可能になる。図９（ｂ）および図９（ｆ）はそれぞれ組合せが可能なボディ１１とカバー１２とを用いているものの組み付け方向が一致しない場合（つまり、逆組の場合）を示している。いずれの場合も位置決め突起１５ｂを位置決め切欠１５ａに完全に挿入することができず、位置決め突起１５ｂの一部がボディ１１の周壁に干渉するから、ボディ１１に対してカバー１２を取り付けることができない。つまり、逆組を防止することができる。
【００３４】
図９（ｃ）（ｄ）は図５（ｂ）のボディ１１に図８（ａ）のカバー１２を組み合わせた例であって、図９（ｃ）は組み付け方向が一致する場合、図９（ｄ）は逆組の場合を示している。また、図９（ｇ）（ｈ）は図８（ｂ）のボディ１１に図５（ａ）のカバー１２を組み合わせた例であって、図９（ｇ）は組み付け方向が一致する場合、図９（ｈ）は逆組の場合を示している。図から明らかなように、いずれの場合でも位置決め突起１５ｂを位置決め切欠１５ａに完全に挿入することができず、位置決め突起１５ｂの一部がボディ１１の周壁に干渉するから、ボディ１１に対してカバー１２を取り付けることができない。つまり、異なる製品品種間ではボディ１１とカバー１２とを組み合わせることができない。
【００３５】
上述の構成を採用することによって、位置決め切欠１５ａと位置決め突起１５ｂとを言わば鍵と鍵穴との関係とすることになり、ボディ１１とカバー１２とを正しい組合せ以外では結合できないようになる。その結果、異なる製品品種の部品が混在している場合であってもボディ１１とカバー１２とを誤って組み合わせることがなく、不良品の発生を抑制することができる。
【００３６】
ところで、ボディ１１の長手方向における両側面間の寸法を従来構成よりも大きくすることによって、ボディ１１の内部である収納凹所１１ａの長手方向の寸法を大きくとることができる。ここで、端子板２１と端子板２２との間の距離を従来構成と同程度に設定するとすれば、端子板２２についてはボディ１１の長手方向の寸法、つまりコ字状である端子板２２の両脚片間の距離を従来構成よりも大きくすることが可能である。この場合、端子板２２の形状が同じであるとすれば、従来構成の端子板２２のほうが両脚片間の距離が小さいことによって、従来構成における端子板２２であっても本実施形態のボディ１１に収納することが可能になる。ボディ１１の内部空間における端子板２２の収納スペースは本実施形態のほうが大きいから、図１０に示すように、従来構成に用いる端子板２２を本実施形態のボディ１１に収納すると収納スペースに余剰Ｄ３が生じることになる。このような余剰Ｄ３があると端子板２２がボディ１１の中でがたつくから、接点の開閉の信頼性が低下することになる。
【００３７】
ここに、図１０に示すスイッチは特許文献２に記載されたスイッチと同様の構成であって、図１に示したスイッチとはハンドル１４の構造が異なるとともに、カバー１２および結合爪１３ａの形状が異なるものである。つまり、ハンドル１４はハンドル本体１４ｃに化粧ハンドル１４ｄを被嵌した二重構造になっており、カバー１２にはボス部１２ａを設けずにカバー１２の前面に化粧ハンドル１４ｄの端部が当接可能になっている。また、結合爪１３ａはカバー１２の側面に一体に突設されている。肩部１２ｂはカバー１２の両端部において前方に突出する形で形成されている。つまり、ハンドル１４は図１に示した構成よりも大型になっている。ボディ１１とカバー１２とは、カバー１２から後方に突出する組立爪（図示せず）をボディ１１に係合させることによって結合される。ただし、これらの相違点を除けば基本的な動作は図１に示した構成と同様である。
【００３８】
本実施形態では、従来の端子板２２と本実施形態のボディ１１との組違いを防止することができるように、端子板２２の形状を従来構成とは異ならせ、ボディ１１において端子板２２に対応する収納スペースの形状も端子板２２の形状に合わせてある。従来構成としては図１１（ａ）のように端子板２２の一方の脚片の先端部に凹凸を設けていない形態のものと、図１３（ａ）のように端子板２２の一方の脚片の先端部に突片２２ｅが突設された形態のものとがある。
【００３９】
図１１（ａ）のように両脚片の先端部に凹凸を設けていない従来構成では、図１１（ｂ）のようにボディ１１の収納スペースの底面も平面状になる。この場合、端子板２２とボディ１１とが正しく組み合わされているときには、図１１（ｃ）に示す形でボディ１１に端子板２２が収納される。一方、この形状の端子板２２に対して組違いを防止するために、図１２（ａ）のように端子板２２の一方の脚片の先端部に組合わせ切欠２２ｄを形成し、図１２（ｂ）のようにボディ１１の底面には組合せ切欠２２ｄが嵌合する組合せ突起１１ｄを形成する。つまり、端子板２２とボディ１１とが正しく組み合わされたときには、図１２（ｃ）のように組合せ切欠２２ｄに組合せ突起１１ｄが嵌合し、端子板２２がボディ１１から浮き上がることなくボディ１１に収納されることになる。
【００４０】
図１２（ａ）の端子板２２は脚片間の寸法が図１１（ａ）の端子板２２よりも大きく設定されているから、図１１（ａ）の端子板２２を図１１（ｂ）のボディ１１に装着することはできず、また図１１（ａ）の端子板２２は組合せ切欠２２ｄを設けていないから図１２（ｂ）のボディ１１に装着しようとすると、図１２（ｄ）のように組合せ突起１１ｄの存在によってボディ１１の底面から端子板２２が浮き上がり、ボディ１１の底面と端子板２２との間に隙間Ｄ４が生じることになる。つまり、ボディ１１と端子板２２との互いの組違いを防止することが可能になる。
【００４１】
また、図１３（ａ）のように一方の脚片の先端部に組合せ突片２２ｅを突設した従来構成では、図１３（ｂ）のようにボディ１１に設けた収納スペースの底面には組合せ突片２２ｅが嵌合する組合せ凹所１１ｅを形成する。この場合、端子板２２とボディ１１とが正しく組み合わされているときには、図１３（ｃ）に示すように組合せ突片２２ｅが組合せ凹所１１ｅに挿入されることによってボディ１１に端子板２２が収納される。一方、この形状の端子板２２に対して組違いを防止するには、図１４（ａ）のように脚片の先端部に凹凸を形成していない端子板２２を用い、図１４（ｂ）のようにボディ１１の収納スペースの底面を平面とする。つまり、端子板２２とボディ１１とが正しく組み合わされたときには、図１４（ｃ）のような形で端子板２２がボディ１１から浮き上がることなくボディ１１に収納される。
【００４２】
図１４（ａ）の端子板２２は脚片間の寸法が図１３（ａ）の端子板２２よりも大きく設定されているから、図１４（ａ）の端子板２２を図１３（ｂ）のボディ１１に装着することはできず、また図１３（ａ）の端子板２２は組合せ突片２２ｅを設けているから、図１４（ｂ）に示すボディ１１に装着しようとすると、図１４（ｄ）のように組合せ突片１１ｅの存在によってボディ１１の底面から端子板２２が浮き上がり、ボディ１１の底面と端子板２２との間に隙間Ｄ５が生じることになる。このような構成によっても、ボディ１１と端子板２２との互いの組違いを防止することが可能になる。
【００４３】
上述した例ではボディ１１の収納凹所１１ａにおいて端子板２２を収納する収納スペースの底面と、充電部品である端子板２２において収納スペースの底面に当接する部位との関係として、異なる２種類の部品品種間の一方で凹凸形状を採用し他方では凹凸を設けない形状としていたが、複数の部品品種においてそれぞれ凹凸形状を採用し、かつ噛み合う凹凸の位置を互いに異ならせる構成を採用することも可能である。また、端子板２２以外の充電部品において同様の構成を採用することも可能である。
【００４４】
（実施形態２）
実施形態１では接点の開閉状態が反転するスイッチを示したが、本実施形態では、図１５のように、３個の端子板２１，２３Ａ，２３Ｂを用いることによって、閉路する回路が切り換えられる構成としたスイッチを示す。つまり、ボディ１１に設けた収納凹所１１ａの長手方向の一端部に２個の端子板２３Ａ，２３Ｂを収納し、各端子板２３Ａ，２３Ｂに互いに異なる長さの接点保持片２３ａ，２３ｂを延設し、両接点保持片２３ａ，２３ｂの先端部に設けた固定接点２５ａａ，２５ａｂの間に開閉子２４を配置した構成を採用している。コ字状の開閉子２４には両脚片にそれぞれ可動接点２５ｂａ，２５ｂｂを設け、各可動接点２５ｂａ，２５ｂｂが各固定接点２５ａａ，２５ａｂに対して離接するようにしてある。この構成ではハンドル１４の一端部を押し込むことによって、いずれか一方の可動接点２５ｂａ，２５ｂｂが、当該可動接点２５ｂａ，２５ｂｂに対応する固定接点２５ａａ，２５ａｂに接触するようになっている。つまり、端子板２１はいずれか一方の端子板２３Ａ，２３Ｂに択一的に接続されることになる。この種のスイッチは３路スイッチとして知られているものである。
【００４５】
本実施形態では、端子板２１と端子板２３Ｂとの間の距離を大きくするために端子板２１の形状を変更している。これは、ボディ１１の長手方向の寸法には制限があり、接点保持片２３ａ，２３ｂの先端部間に開閉子２４を配置する３路スイッチにおいては、図１６に示すように、一方の接点保持片２３ｂと端子板２１との距離Ｄ６が比較的小さくなり、高耐圧用に設計するのが困難になることがあるからである。たとえば、１００Ｖ用の設計が可能であるとしても２００Ｖ用に設計するのが困難になることがある。そこで、端子板２１における端子板２２との対向面を、図１７のように平面状とするのではなく、図１８のように幅方向の中央部を両端部から後退させた形状に形成してある。つまり、コ字状である端子板２１の一方の脚片と中央片の一部とに跨る部位に並行する２本のスリット溝２１ｃを形成し、スリット溝２１ｃの間の部位と他方の脚片との距離がスリット溝２１ｃの外側の部位よりも小さくなるように端子板２１を形成してある。スリット溝２１ｃの間の部位は延長され、延長部位が接点保持片２１ａになっている。また、接点保持片２１ａの基部の両側部には切欠溝２１ｄが形成される。図１７と図１８とを比較するとわかるように、図１７に示す構成の端子板２１に比較して図１８に示す構成の端子板２１では接点保持片２１ａの幅寸法が小さくなっている。つまり、端子板２１の幅寸法内においてスリット溝２１ｃの外側の部位の強度を確保するためにスリット溝２１ｃの外側の部位の最小幅寸法には制限があり、しかもスリット溝２１ｃを設けているから、接点保持片２１ａの幅寸法が小さくなっているのである。もっとも通過する電力が同じであれば端子板２１と端子板２３Ｂとの間の電圧が高いほど電流を小さくすることができるから、電路としての接点保持片２１ａの幅寸法が小さくなっても電流容量は確保することができる。
【００４６】
図１８に示す形状の端子板２１に対応するために、ボディ１１の内部において端子板２１を収納する部位に形成するリブ１１ｂは、図１９の形状から図２０の形状に変更される。つまり、図１７に示す端子板２１では図１８に示す端子板２１に比較して接点保持片２１ａが広幅であるから、図１９に示すようにリブ１１ｂによって形成される接点保持片２１ａを通すための間隙が比較的広く、図１８に示す端子板２１を用いる場合には、図２０に示すように接点保持片２１ａを通すための間隙が比較的狭くなる。
【００４７】
上述のように、図１８に示すようなスリット溝２１ｃを形成した端子板２１を用いるとともに、幅狭の接点保持片２１ａを通過させるためにボディ１１の内部においてリブ１１ｂにより形成される間隙を幅狭とすることにより、図２１に示すように、接点保持片２３ｂと端子板２１との距離Ｄ７が従来構成よりも大きくなり（Ｄ７＞Ｄ６）、しかも接点保持片２３ｂと端子板２１との間で絶縁材料により覆われる部位が多くなるから、接点保持片２３ｂと端子板２１との間の耐圧を従来構成よりも高めることが可能になる。ちなみに、ＪＩＳ規格において定められている連用形の埋込形配線器具における１個モジュール寸法と略同寸法の器体１を用いて３路スイッチを構成した場合に、本実施形態の構成を採用すれば、接点保持片２３ｂと端子板２１との距離を国際規格で定められている３ｍｍ以上とすることができる。なお、上述のように接点保持片２３ｂの基部には切欠溝２１ｄが形成されているから、リブ１１ｂの先端部の形状は切欠溝２１ｄに合致する形状としてあり、本実施形態では間隙を挟むリブ１１ｂの先端部をＬ字状に形成してある。この構成によってボディ１１に対する端子板２１の固定強度を高められている。
【００４８】
本実施形態のようにスリット溝２１ｃを形成した端子板２１は、３路スイッチだけではなく実施形態１のように接点の開閉のみを行うスイッチであっても採用することができる。
【００４９】
【発明の効果】
請求項１の発明は、接点を含む充電部品を収納したボディと、ボディの前面側に結合されボディとともに器体を形成しかつ接点の操作に用いるハンドルを保持するカバーと、ハンドルを露出させる取付窓を有する取付枠に設けられている結合凹所に係合可能であってカバーの両側面よりも側方に突出しかつカバーの両側における先端間の距離が規定されている複数個の結合爪とを有し、カバーの前面においてハンドルの両側方である肩部を取付窓の周部後面に当接させかつ結合爪を結合凹所に係合させた形で取付枠に取着可能であって、カバーの両側における結合爪の基端と先端との間の中心同士を結ぶ距離よりもボディの両側面間の距離が大きいものであり、結合爪の先端間の距離と結合爪のカバーからの突出寸法とに関する制約内でボディの長手方向の寸法を従来構成よりも大きくすることができるから、ボディ内に収納される充電部品の部品間距離を従来構成よりも大きくとることができ、従来構成と同じ取付枠を用いながらも従来構成よりも高耐圧のスイッチを提供することが可能になる。
【００５０】
請求項２の発明では、請求項１の発明において、前記結合凹所への前記結合爪の係合状態を解除させる工具を前記取付枠の前面側から挿入可能とする外し孔が取付枠における結合凹所の近傍部位に形成され、前記カバーの両側面の後端を前記ボディの両側面の前端に一致させカバーの両側面の前端間の寸法を後端間の寸法よりも小さくするようにカバーの両側面の少なくとも一部にテーパが形成されているものであり、カバーからの結合爪の突出寸法を比較的大きくし、かつボディの長手方向の寸法を比較的大きくとりながらも、器体を取付枠から取り外す際に用いる工具の先端がボディに引っ掛けることがなく、工具を比較的深く挿入することで器体を取付枠から取り外す作業が容易になる。
【００５１】
請求項３の発明では、請求項２の発明において、前記テーパが前記カバーの側面における後部に形成されているものであり、カバーの側面においてテーパを設けていない部位を取付枠に面接触させることができるから、取付枠に対して器体を側方に移動させる力を受ける面積が大きくなり、結果的に取付枠に対して器体の位置が安定する。また、器体を横に並設する２連形の取付枠を用いる場合には、取付枠に設けた２個の取付窓の間に設けている保持片の厚み寸法を比較的大きくとることが可能になる。つまり、２連形の取付枠において保持片に十分なテーパを設けることができない場合でも、取付枠への器体の取付時に保持片が器体の側面に干渉しないように取り付けることができる。
【００５２】
請求項４の発明では、請求項１ないし請求項３の発明において、前記ボディにおいて前記充電部品を収納する収納凹所は位置決め切欠を有する開口形状であって、前記カバーには位置決め切欠の内周面に当接する形で位置決め切欠に挿入される複数個の位置決め突起が突設され、位置決め切欠の寸法と位置決め突起の配置とは、ボディとカバーとの組み付け方向が一致しないときに位置決め切欠に位置決め突起が挿入されるのを禁止しかつ異なる製品品種間でボディとカバーとが結合されるのを禁止するように設定されているものであるから、ボディとカバーとの逆組を防止することができるのはもちろんのこと、異なる製品品種間でボディとカバーとが誤って組み付けられるのを防止することができる。
【００５３】
請求項５の発明では、請求項１ないし請求項４の発明において、前記ボディにおいて前記充電部品を収納する収納凹所には充電部品に合致する寸法の収納スペースが形成されており、収納スペースの底面の形状と充電部品において収納スペースの底面に当接する部位の形状とは、異なる製品品種間で収納スペースに対する充電部品の組み付けが禁止されるように設定されているものであり、異なる製品品種間でボディと充電部品とが誤って組み付けられるのを防止することができる。
【図面の簡単な説明】
【図１】本発明の実施形態１を示す断面図である。
【図２】同上の分解斜視図である。
【図３】同上の要部拡大断面図である。
【図４】同上の要部拡大断面図である。
【図５】比較例を示し、（ａ）はカバーの背面図、（ｂ）はボディの正面図である。
【図６】比較例を示し、（ａ）はカバーの背面図、（ｂ）はボディの正面図である。
【図７】ボディとカバーとの組違いの場合の問題点を示す断面図である。
【図８】本発明の実施形態１を示し、（ａ）はカバーの背面図、（ｂ）はボディの正面図である。
【図９】ボディとカバーとの各種組み合わせ例を示す説明図である。
【図１０】ボディと端子板との組違いの場合の問題点を示す断面図である。
【図１１】比較例を示し、（ａ）は端子板を示す斜視図、（ｂ）は収納スペースを示す斜視図、（ｃ）は端子板をボディに収納した状態の斜視図である。
【図１２】本発明の実施形態１を示し、（ａ）は端子板を示す斜視図、（ｂ）は収納スペースを示す斜視図、（ｃ）は端子板をボディに収納した状態の斜視図、（ｄ）は組違いの場合の斜視図である。
【図１３】比較例を示し、（ａ）は端子板を示す斜視図、（ｂ）は収納スペースを示す斜視図、（ｃ）は端子板をボディに収納した状態の斜視図である。
図である。
【図１４】本発明の実施形態１を示し、（ａ）は端子板を示す斜視図、（ｂ）は収納スペースを示す斜視図、（ｃ）は端子板をボディに収納した状態の斜視図、（ｄ）は組違いの場合の斜視図である。
【図１５】本発明の実施形態２を示す分解斜視図である。
【図１６】比較例を示し、（ａ）はカバーを外した平面図、（ｂ）は断面図である。
【図１７】比較例の端子板を示し、（ａ）は平面図、（ｂ）は断面図である。
【図１８】本発明の実施形態２に用いる端子板を示し、（ａ）は平面図、（ｂ）は断面図である。
【図１９】比較例を示すボディの一部省略した平面図である。
【図２０】本発明の実施形態２に用いるボディの一部省略した平面図である。
【図２１】本発明の実施形態２を示し、（ａ）はカバーを外した平面図、（ｂ）は断面図である。
【図２２】従来例を示す断面図である。
【図２３】同上を２連形の取付枠に取り付けた状態の断面図である。
【図２４】同上を２連形の取付枠に取り付けた状態の要部拡大断面図である。
【符号の説明】
１  器体
３  取付枠
４  工具
１１  ボディ
１１ａ  収納凹所
１２  カバー
１２ｂ  肩部
１２ｅ  テーパ
１３ａ  結合爪
１４  ハンドル
１５ａ  位置決め切欠
１５ｂ  位置決め突起
２１，２２  端子板
３１  取付窓
３２  結合凹所
３５  外し孔
【図１】
2004220814.tif 000003
【図２】
2004220814.tif 000004
【図３】
2004220814.tif 000005
【図４】
2004220814.tif 000006
【図５】
2004220814.tif 000007
【図６】
2004220814.tif 000008
【図７】
2004220814.tif 000009
【図８】
2004220814.tif 000010
【図９】
2004220814.tif 000011
【図１０】
2004220814.tif 000012
【図１１】
2004220814.tif 000013
【図１２】
2004220814.tif 000014
【図１３】
2004220814.tif 000015
【図１４】
2004220814.tif 000016
【図１５】
2004220814.tif 000017
【図１６】
2004220814.tif 000018
【図１７】
2004220814.tif 000019
【図１８】
2004220814.tif 000020
【図１９】
2004220814.tif 000021
【図２０】
2004220814.tif 000022
【図２１】
2004220814.tif 000023
【図２２】
2004220814.tif 000024
【図２３】
2004220814.tif 000025
【図２４】
2004220814.tif 000026